(57)【要約】【課題】用紙を紙折りする装置において、機構がシンプルであり、設定・調整が容易であり、熟練を必要とせず、折り山が多く、折り巾の狭い紙折りを可能とする機械を実現する。【解決手段】用紙を噴射ユニットに直交して、ノズルヘッドからの距離を一定に保ちながら、移動する搬送手段を有し、搬送手段が用紙を搬送することにより、噴射ユニットに配置された１本又は複数の高精細ノズルのヘッドから水を噴射して、折る対象の用紙の想定した折り目に塗布した後、用紙の搬送時間を遅延するエイジングユニットを通過させて、用紙に水が適度に浸潤して塗布された部分のみを繊維が解れた状態とした後、用紙をジグザグに折り畳まれて収納することを特徴とする。【選択図】図１
2017121975.tif 000002
【特許請求の範囲】
【請求項１】
用紙を紙折りする装置において、１本又は複数の高精細ノズルを配置した噴射ユニットを有し、該噴射ユニットに直交し、ノズルヘッドからの距離を一定に保持して用紙を移動する搬送手段を有し、該搬送手段が該用紙を搬送することにより、該用紙の想定した折り目に高精細ノズルのヘッドから水を噴射して直線的に塗布する塗布工程部と、塗布された該用紙の搬送時間を遅延して該用紙に水が適度に浸潤して繊維が解れた状態にするエイジング部と、該用紙がジグザグに折り畳まれて収納する折り畳み収納部からなることを特徴とする紙折り装置。
【請求項２】
請求項１記載の紙折り装置において、該用紙を固定して、該高精細ノズルヘッドと用紙までの距離を一定に保持したまま、該噴射ユニットを移動することにより水を塗布することを特徴とする紙折り装置。
【請求項３】
請求項１記載の紙折り装置において、使用する該高精細ノズルの内径は用紙の厚さ相当とし、水タンク内の空気圧を一定に保持し、水を噴射する時の用紙搬送速度、或いはノズルの移動速度、即ち用紙とノズルの相対移動速度の増減によって塗布量を調整することを特徴とする紙折り装置。
【請求項４】
請求項１記載の紙折り装置において、水に代えて、エタノール・メタノール・酢酸メチル・界面活性剤等の液剤または、溶剤をそのまま、或いは混合して使用することを特徴とする紙折り装置。
【請求項５】
請求項１記載の紙折り装置において、該用紙が極薄の場合、水を紙に途切れなく直線的に塗布するのではなく、微小な水滴を羅列することにより、用紙の折り曲げ部分の強度を保つことを特徴とする紙折り装置。
【発明の詳細な説明】
【技術分野】
【０００１】
本発明は、用紙折り機に関するものである。
【背景技術】
【０００２】
従来から、用紙を２つ折り、３つ折り、観音折り、ジグザグ折りする機械には多種多様なものがあった。代表的な折り機の中でも、ナイフ式折り機には、例えば特許第５４６５５４５号があった。また、バックル折り機あるいは羽根折り機には、例えば特許第４１９０６６６号などが知られている。また、ジグザグに折る方法では、平歯車の様な折り目付けギヤローラーを用いて折る方法としては、例えば特開２０００−２５７３９号があり、厚手用紙をジグザグに折る方法の例としては、特開昭５２−２３４１７号があり、凹条目、凸条目を付けたローラーを用いて折り目付けを行ってから折り畳んでいた。他には、折曲げローラー等を用いて、その回転駆動を制御してジグザグに折る方法として、例えば特公昭６１−０１７７３８号等があった。
【０００３】
ナイフ式折りの例として、例えば特許第５４６５５４５号があった。図６に示すように、用紙１が搬送台上に搬送されて、用紙の中心線が一対の折りローラー２１の中間位置に供給されるタイミングで、折りナイフ２０が用紙１の折り位置である中心線に降下する。これにより、折りナイフ２０が用紙１の中央部に突き出され、用紙１が一対の折りローラー２１間に押し込まれるので、回転している一対の折りローラー２１が折り位置から用紙１を引き込んで折り重ね、形成された折丁が下方に搬出される。
【０００４】
しかしながら、これらのナイフ式折りの機構では、用紙が折られる折り目は、折りナイフ２０が降下して、折りローラーを通過するとき、ローラー間の圧力によって繊維は変形して繋がりが壊され、折り目部分の繊維の絡み合いが緩んだり切れたりして初めて形成されるのである。用紙が折りナイフ２０の降下により、折りローラー２本の間に引き込まれるのは、紙とローラーの摩擦抵抗によるから、用紙とローラー及びガイドの摩擦抵抗は紙の厚み・紙の流れ目・紙の含水量・印刷された表面の処置（例えばパウダーの噴霧）等によって影響を受けるため、正確な折り筋を決めるには装置の設定・調整等は複雑で熟練を必要とした。なおローラー間のギャップの調整も熟練を必要とした。
【０００５】
また、ナイフ式折り機は大きな騒音をだす欠点があった。これらの機構で高速性を追求すれば避けられないことであった。
【０００６】
また、折り目は折りローラーを通過して、初めて形成されるから、折り曲げられた用紙には機械的な押圧が加わり、紙の流れ目が縦目（紙の流れ目に対して折り目が直行する）の場合、紙の繊維・紙へのサイズ剤や表面のコート剤が破壊若しくは崩れて、折り目に毛羽立ちを生じさせたりした。
【０００７】
また、バックル折りの例として、例えば特許第４１９０６６６号があった。図７に示すように、用紙１を給紙して折りローラー３０と３１間を通過させ、用紙１をプレート３４に引込み、用紙先端を用紙ストッパー３６に突き当てる。用紙を送り込む力は続いているので、プレート３６の入口で撓みが生じ、折りローラー３１，３２に挟み込まれ、折りローラー３１，３２の押し圧により、第１の折りが行われる。用紙ストッパー３７を使用しない場合は、そのまま２つ折りが完了し、用紙ストッパー３７を用いれば、第１の折りと同様に、２つ折りされた用紙１はプレート３５に引き込まれ、用紙ストッパー３７に突き当たり、プレート３７の入口で撓みが生じて、折りローラー３２，３３に挟み込まれ、第２の折りが行われ、３つ折りが完了する。
【０００８】
しかしながら、これらのバックル折りの機構では、用紙が折られる折り目は折りローラーを通過するとき、ローラー間の圧力によって繊維は変形して繋がりが壊され、折り目部分の繊維の絡み合いが緩んだり切れたりして初めて形成されるのである。用紙が折りローラー２本の間に送られるのは、紙とローラーの摩擦抵抗によるから、用紙とローラー及びガイドの摩擦抵抗は紙の厚み・紙の流れ目・紙の含水量・印刷された表面の処置（例えばパウダーの噴霧）等によって影響を受けるため、正確な折り筋を決めるには装置の設定・調整等は複雑で熟練を必要とした。なおローラー間のギャップの調整も熟練を必要とした。
【０００９】
また、バックル折り機は大きな騒音をだす欠点があった。主に音の発生源は用紙がストッパーに強く衝突して発生する。これらの機構で高速性を追求すれば避けられないことであった。
【００１０】
また、折り目は折りローラーを通過して形成されるから、ナイフ式折り機と同様に、折り目に毛羽立ちを生じさせたりした。
【００１１】
ジグザグに折る方法としては、折り目付けローラーによる形成方法として、特開２０００−２５７３９号があり、図８に示すように、用紙１を一対の折り目付けギヤローラー４０間に通して多数の縦折り目を付け蛇腹形成紙を作るものである。
【００１２】
しかしながら、上記の様なジグザグに折る方法においては、用紙の巾以上の歯巾をなした折り目付けギヤローラーを必要とし、歯先と歯底を噛合して、用紙に均一な折り目を付けることは困難で、印刷された薄紙等には不向きなものであった。又、固有の型を必用とした。
【００１３】
一方、厚手用紙をジグザグに折る方法としては、例えば特開昭５２−２３４１７号があり、図９に示すように、凸部凹部付きローラー５０，５１は同径であって、それぞれの表面に長手方向に凸部と凹部が設けられ、凸部凹部付きローラー５０，５１が反対方向に回転するとき、凸部凹部付きローラー５０の凸部と、凸部凹部付きローラー５１の凹部が噛み合う様態で、それぞれのローラーに凸部凹部が交互に、且つ、同一間隔に配置されている。用紙１が挿入されて、凸部凹部付きローラー５０，５１を通過させると、正逆交互に折り目が付けられる。このように厚手用紙を曲げ易く折り目を付けた用紙１は、収納箱５６に侵入して、凸部凹部付きローラー５０，５１に連動して、押圧部５５の先端に設けられた鍔５４は、エアシリンダー５７で前後に作動し、用紙１を押圧する。又、凸部凹部付きローラー５０，５１に連動して作動するドラムカム５８の働きで、折り込み機５２に設けられた折り板５３は上下に作動するが、下がったときに折り板５３が傾斜して用紙１の収納箱５６ヘの送り込みを助けている。
【００１４】
しかしながら、上記の様なジグザグに折る方法では、折り巾が狭く折り山の多いものには、機構的制約から対応出来なかった。又、これらの従来の方法は、機械的に１山に１工程、１谷に１工程を要するものであるから、高速で加工することが出来ず安価な製品を提供出来なかった。又、固有の型を必用とし、紙の厚みのない物には対応出来なかった。
【００１５】
他には、折曲げローラー等を用いて、その回転の方向を制御してジグザグに折る方法として、例えば特公昭６１−０１７７３８号等があった。図１０に示すように、送りローラー６０，６１を回転角度コントロールモーターで回転させることにより、用紙１を台板６２，６３の対向面上において、送りローラー６０，６１の方向に突設したガイド部を通して、台板６２，６３の下面に接して転動する一対の折曲げローラー６４，６５間に上方より下方に一定長送り出したのち、一方の折曲げローラー６４をガイド口部にまで移動させてガイド口の開口部端部で用紙１を直角に折曲げ保持し、この状態で用紙１を小寸法送り出したのち該折曲げローラー６４を反対方向に移動させて用紙１に折目を付ける。この動作を左右の折曲げローラー６４，６５を交互に使って繰り返し行い、ジグザグ折曲げを行う。尚、折曲げローラー６４，６５の駆動は、駆動機構６６，６７の回転円板に接続された連結棒を介して行われ、それぞれに取り付けられた突起が、スイッチＳを作動させて、電気的に制御されている。
【００１６】
しかしながら、上記の様に一工程毎の機械的動作を電気的に制御してジグザグに折る方法では、折り巾が狭く折り山の多い、例えば印刷された紙厚０．１ｍｍで、寸法天地１３０ｍｍ×左右７８０ｍｍの用紙（四六判８面取り）を折り巾１０ｍｍ、折り山３８、谷３７に折ることは機構的制約から出来なかった。又、これらの従来の方法における折り目付けは、機械的に１山に１工程、１谷に１工程を要するものであるから、高速で加工することが出来ず安価な製品を提供出来なかった。又、固有の型を必用とし、紙の厚みのない物には対応出来なかった。
【先行技術文献】
【特許文献】
【００１７】
【特許文献１】特許第５４６５５４５号（特開２０１１−１４８５７３号）
【特許文献２】特許第４１９０６６６号（特開２００１−０１０７６５号）
【特許文献３】特開２０００−２５７３９号
【特許文献４】特開２００８−２１３９００号
【特許文献５】特開昭５２−２３４１７号
【特許文献６】特公昭６１−０１７７３８号（特開昭５９−０７４８５７号）
【発明の概要】
【発明が解決しようとする課題】
【００１８】
用紙の折り加工に於いて、正確に折りを仕上げるには、ナイフ式折り機・バックル折り機においては、前記各部材の摩擦抵抗等の影響を受けるため、設定・調整に難しさがあった。２つ折り、３つ折り、観音折り等の一般的な折りには対応するが、ジグザグ折り、特に薄紙を小さい折り巾で折ることは出来なかった。例えば、用紙厚０．１ｍｍ、天地１３０ｍｍ、長さ７８０ｍｍの用紙を折り巾１０ｍｍ、折り山３８のような折り巾が狭く、折り山の多い物はいまだに手作業で行われている。
【課題を解決するための手段】
【００１９】
本発明は、従来例のような紙折り機における問題点を解決するために、水を紙の想定した折り目に高精細ノズルにより直線的に噴射し、紙に線状に浸潤させて塗布された部分のみを繊維が解れた状態となし、あたかも丁番のように屈曲させて紙を折り返して用紙を折ることを特徴とする。
【００２０】
本発明は、好ましくは、使用する高精細ノズルを固定して、用紙を高精細ノズルヘッドからの距離を一定に保ち用紙を搬送するか、或いは、用紙を固定して、高精細ノズルヘッドを用紙までの距離を一定に保って移動することを特徴とする。
【００２１】
本発明は、好ましくは、使用する高精細ノズルの内径は用紙の厚さ相当とし、水タンク内の空気圧を一定にした場合、水の噴射する時の用紙搬送速度、或いはノズルの移動速度（用紙とノズルの相対移動速度）の増減によって塗布量を調整することを特徴とする。
【００２２】
本発明は、好ましくは、印刷された用紙を折るには、使用する水にエタノール・メタノール・酢酸メチル・界面活性剤等の液剤を付加することを特徴とする。
【００２３】
本発明は、好ましくは、水に代えて、エタノール・メタノール・酢酸メチル・界面活性剤等の液剤または、溶剤をそのまま、或いは混合して使用することを特徴とする。
【００２４】
本発明は、好ましくは、折りを行う用紙が極薄の場合、水を紙に途切れなく直線的に塗布するのではなく、微小な水滴を羅列することにより、用紙の折り曲げ部分の強度を保つことを特徴とする。
【００２５】
本発明は、好ましくは、用紙を２つ折りの場合には１本のノズルを、３つ折りの場合には２本のノズルを使用し、ジグザグ折りにおいては数本或いは、数十本のノズルを使用して、１つの工程で紙に水を1本或いは複数本を線状に同時に噴射し、浸潤させた部分のみを繊維が解れた状態として折り目を作ることを特徴とする。
【００２６】
本発明は、好ましくは、水が紙の表面に接触してもしばらく吸収が始まらない遅れ時間（濡れ時間）が存在するから、紙へ水を塗布した後、用紙の搬送時間を遅延する機構（エイジングユニット）を設けることにより、時間経過した用紙は水が適度に浸潤して、容易に屈曲可能となり、連続的に高速で折りを行うことを特徴とする。
【００２７】
本発明は、好ましくは、用紙の搬送時間を遅延するエイジングユニットを通過させて、用紙に水が適度に浸潤して塗布された部分のみを繊維が解れた状態とした後、該用紙をジグザグに折り畳まれて収納する折り畳み収納部を有することを特徴とする。
【００２８】
本発明は、好ましくは、本発明による紙折りする装置と用紙を自動供給する自動給紙機と連動して使用することを特徴とする。
【００２９】
本発明は、好ましくは、本発明による搬送爪２と巾よせローラー３と噴射ユニット５とエイジング部６と送りベルト７と折り畳み収納部８の動作が各々独立して制御され、各機能ユニットはシーケンス的に制御されることを特徴とする。
【発明の効果】
【００３０】
以上述べたように、本発明に拠る紙を折る手段として、水を紙に高精細ノズルにより直線的に噴射し、紙に線状に浸潤させて塗布された部分のみを繊維が解れた状態、即ち、紙の繊維間の水素結合を弱め、また、繊維の膨潤を起こし、紙の腰（剛性）を線状に弱めて行う折り目付けの工程と、弱い力で折り曲げを行う曲げ工程を分離して行うことにより、簡単な機構で正確な折りが行え、装置の設定・調整が容易で熟練を必用とせず、音が静かな折り機を提供するものである。
【００３１】
折り目付けは水で直線に多数の折りラインを同時に引くことができ、又、折り曲げには強い力は必要とせず、従来のバックル折り機のような正確な位置決めも不要であること等から、折り巾の狭く、山数の多いジグザグ折りに適し、機構がシンプルであること等から費用対効果が高いジグザグ折り機を提供するものである。
【００３２】
また、機構がシンプルであること等から、動力源を使用しない卓上型で、正確な折り加工が可能な卓上折り機を提供するものである。
【００３３】
また、本発明に拠る紙折り方法によれば、紙の流れ目（縦目・横目）に影響を受けない紙折り機を提供するものである。
【図面の簡単な説明】
【００３４】
【図１】図１は本発明のジグザグ折り機の実施例１を示す斜視図である。（実施例１）
【図２】図２は本発明のジグザグ折り機の実施例１を構成する噴射ユニットの構造を示す側面図である。（実施例１）
【図３】図３は本発明のジグザグ折り機の実施例１を構成する折り畳み収納部の構造を示す側面図である。（実施例１）
【図４】図４は本発明の別の紙折り機の実施例２を示す斜視図である。（実施例２）
【図５】図５は本発明のジグザグ折り機の実施例１を構成する折り畳み収納部において、用紙１がジグザグに折り畳まれる挙動を示す概念図である。（実施例１）
【図６】図６は従来のナイフ折り機の動作を示す側面図である。(従来例１)
【図７】図７は従来のバックル折り機の動作を示す側面図である。(従来例２)
【図８】図８は従来の折り目付けギヤローラーによる蛇腹の形成の動作を示す側面図である。(従来例３)
【図９】図９は従来の屏風折り機の動作を示す側面図である。(従来例４)
【図１０】図１０は従来の用紙をジグザグ折曲げ機の動作を示す側面図である。(従来例５)
【発明を実施するための形態】
【００３５】
用紙の折り機において、熟練を必要とせず、簡単な設定・調節で正確な折り加工を実現した。また、大きな音を出すこともなく、大きな動力源をも必要としない費用対効果が高い機械を実現した。また、今までに実現されていない、狭い折り巾で、数多い折り山のジグザグ折りを高速で加工出来るジグザグ折り機を実現した。さらに、簡単な構造で動力源を使用しない卓上型で、正確な折り加工が可能な卓上折り機を実現した。以下、本発明の実施例について、添付図面を参照して説明する。 
【実施例１】
【００３６】
図１は本発明のジグザグ折り機の実施例１を示す斜視図である。図1に示すように、本発明のジグザグ折り機において、搬送爪２と巾よせローラー３と送りローラー４と噴射ユニット５と送りベルト７と折り畳み収納部８とから構成される。給紙部９は図示されていないが、適時連結されて使用することが好ましい。図1に示す全ての巾よせローラー３は常時同じ方向に回転していて、載置された用紙１は、図示されていない当て板に当接されて、左右の位置決めが行われている。
【００３７】
本発明のジグザグ折り機の実施例１を用いて用紙１をジグザグ折りする第１の工程は、給紙部９から供給される用紙１は、巾よせローラー３上に載置される。搬送爪２が作動して、用紙１を送りローラー４側に搬送するが、この時、巾よせローラー３は常時同じ方向に回転しているから、用紙１は該当て板に当接しながら、送りローラー４に直角の状態で前進して送りローラー４に食い込まれる。
【００３８】
第２の工程では水の塗布が行われる。図２示すよう噴射ユニット５の、密閉されたタンク５ａの下部には高精細ノズ５ｂを等間隔に列設させ、該タンク内には水が充填されている。好ましくは、該ノズルの噴射する穴の内径は該用紙の厚み相当の、０．１ｍｍから０．２５ｍｍとし、エアーレギュレータ５ｄを介して、エアー源からエアーが該タンク内に供給し、該タンク内気圧は０．１ＭＰａから０．２５ＭＰａの間で一定に保たれるよう該エアーレギュレータで調整されている。尚、水の噴射のタイミングは図示されていないが、エアー供給源から該タンクまでの間にソレノイドバルブを連接して、該ソレノイドバルブのＯＮ−ＯＦＦにより電気的に行われる。一方、水の該タンク内への供給は水の供給源から、図示されていない電磁弁及び逆止弁５ｃを介して行われ、該タンクの上方から取り付けられた液面レベルセンサ５ｅのプローブは該タンクの底面近くまでのびて、水に浸かった状態にあり、水位を検知して該電磁弁を開閉して、水を供給して水位が一定状態に保たれている。上記のような状態で、第１の工程で用紙１は送りローラー４の回転に伴って、列設された高精細ノズ５ｂの直下を通過する。この時、通過する速度と該タンク内に加圧された空気圧によって、用紙１ヘの水の塗布量が決まるため、折り曲げを行うために最適になるように、送りローラー４の回転速度と該タンク内のエアー圧を調整して塗布が行われる。水の塗布が完了した用紙１はエイジング部６へ送り込まれる。
【００３９】
第３の工程として、用紙１に水が適度に浸潤させて塗布された部分のみを繊維が解れた状態とするための搬送時間を遅延するエイジング工程である。一対のエンボス加工されたステンレス製の二枚の薄板からなるキャリヤーはコの字型金具に装着されて、一つの軸の円周に同角度で複数取り付けられて、実施例１における図１おいては１０組のキャリヤーが取り付けられ、３６度の回転角度で、１サイクルに１スッテップの反時計方向に間欠回転を行い、エイジング部６へ侵入した用紙１は６回の間欠回転後、次工程に排出される状態になる。この６ステップの回転時間が、用紙１に水が適度に浸潤させて塗布された部分のみを繊維が解れた状態とするエイジング時間である。６回の間欠回転が行われると、用紙１のエイジング部６内での姿勢は侵入時の水平に対して、排出時には下方に向かって３６度傾斜する。この時、一対のエンボス加工されたステンレス製の二枚の薄板からなるキャリヤーのエンボス加工部分が有効に作用して、第３の工程は送りベルト７の上に滑り落ちる。
【００４０】
第４の工程はエイジング部６から折り畳み収納部８への用紙１の受け渡しである。用紙１が第３の工程で送りベルト７の上に滑り落ちた時には、送りベルト７は停止状態にし、エイジング部６の回転が停止して初めて送りベルト７を回転させる。この設定により、用紙１は姿勢を変えることなく受け渡しが完了出来る。
【００４１】
第５の工程は送りベルト７から送り出された用紙１は、折り畳み収納部８の入口に設けられた送りローラー８ａ、８ｂに平行に並置された複数本のローラー上に載置されて、複数本のローラーが回転して折り畳み収納部８内に送られる。図３及び図５を参照して説明する。図５の１においては、用紙１が送りローラー８ａ、８ｂが回転することで方向制御板８ｄに突き当たり、用紙１の先端が下方に誘導される。これは用紙１が印刷物の場合においては、表裏を揃えることが必須であるから、最初の折りの方向を揃えるためである。図５の２においては、用紙１の先端が下方の下部受け板８ｅに達して、前進出来なくなると、前工程で用紙１の折り目の線状部が紙に水が浸潤して繊維が解れた状態となっているため、用紙１の最初の折りの一辺が下部受け板８ｅで突っ張り、なおもローラー８ａ、８ｂにより用紙１は送り込まれるから、剛性が弱くなっている線状の折り目で曲げられて上方に押し上がり、最初の山折りが行われる。図５の３においては、用紙１の最初の折り線部が上方の上部受け板８ｆに達して、前進出来なくなると、第１の山折りと同様に、２番目の折りの一辺が上部受け板８ｆで突っ張り、なおもローラー８ａ、８ｂにより用紙１は送り込まれるから、２番目の折り線部が下方に押し下げられ、最初の山折りが完了するとともに、最初の谷折りが開始する。図５の４、５においては、上記記載の動作が繰り返して行われる。これら一連の動作が行われて、折り曲げられたジグザグの紙片が累積して、その厚みを増加させるときには、役目の終えた方向制御板８ｄは起立し、固定されたリニアガイドレール８ｇをスライドするリニアガイドブロック８ｈに装着された方向制御板８ｄは、その厚みの増加に連動して、後方に後退する。図５の５、６においては、折りが完了して用紙１の終端が送りローラー８ａ、８ｂから離れた状態になった時、押さえアーム８ｃが用紙１の終端を取り込むように回転して垂直になる。この時は方向制御板８ｄと押さえアーム８ｃとに折りが完了した用紙１が挟持された状態にある。図５の７においては、方向制御板８ｄが後退すると同時に、下部受け板８ｅが下方に開かれる。図示はしないが、落下する仕上がったジグザグ状の折りものは下部に設けられたベルトコンベアにより次工程へ搬送される。上記のようにして折り加工が完了するが、折り目の線状部が紙に水が浸潤して繊維が解れた状態となっているため、折り返した後の用紙の反発が極めて小さく、山折り谷折りを繰り替えし折り畳まれたジグザグ状の用紙１の挙動は従来の折りとは異なり納まりよく収納できる。図５の８は初期復帰した状態を示す。
【実施例２】
【００４２】
図４は本発明の第２の実施例に係る折り機の実施例２を示す側面図である。図４に示す実施例では、前工程として実施例１と同様に給紙部と搬送部と水の塗布部があるが図示を省略してある。図４に示す実施例２は用紙１の折り畳み部のみを表示してある。図４に示すように、送りローラー１０，１１と搬送ベルト１２と吸着ベルト１３とバキュームユニット１４と用紙検知センサー１５から構成される。吸着ベルト１３はその天板とバキュームユニット１４は接続され、その接続部分はエアーを通過させて、吸着ベルト１３の表面に開けられた穴を通して、用紙１をベルト表面に吸着する構造である。
【００４３】
図４に於いて、用紙１は送りローラー１０，１１に挟まれて前方に送り込まれ、その先端が下方に垂れながら吸着ベルト１３に達する。吸着ベルト１３は用紙１を吸着して用紙検知センサー１５にその先端が検知されるまで上方に向かって回転する。用紙検知センサー１５にその先端が検知されると同時に、吸着ベルト１３の回転方向を逆転させ、そして同時に搬送ベルト１２を用紙１に接する面が下方に動くように回転させる。この時、送りローラー１０，１１は用紙１の終端が接触しなくなるまで回転し続けている。送りローラー１０，１１と搬送ベルト１２と吸着ベルト１３の周速がほぼ同等が好ましい。上記の動作のようにして、用紙１は折り曲げられて、搬送ベルト１２の上部に載せられて下方に排出して載積される。用紙１の折り目の線状部が紙に水が浸潤して繊維が解れた状態となっているため、強い力で押しつけることもなく、正確な位置決めを必要とせず、即ち、用紙を突き当てるストッパーを必要としないから、音の発生を小さく抑えられる。
【産業上の利用可能性】
【００４４】
本発明による折り方法は紙の腰（剛性）を弱めるために線状に水を塗布して折り目を付ける、即ち、ある一定の腰（剛性）のあるシート状物に塗布される水（液体）により、その部分のみが腰（剛性）を一定時間失う浸潤した折り目と腰（剛性）に変化のない部分の剛性の違いにより、あたかも丁番のように弱い力で屈曲できることから、濾紙など一般の紙や印刷された紙以外のものでも、水（液体）を塗布することにより、繊維間の結合を弱め、または、繊維の膨潤を起こすこと等によって、折りを行うことが出来る。
【符号の説明】
【００４５】
１  用紙、シート
２  搬送爪
３  巾よせローラー
４  送りローラー
５  噴射ユニット
５ａ  タンク
５ｂ  高精細ノズル
５ｃ  逆止弁
５ｄ  エアーレギュレータ
５ｅ  液面レベルセンサ
５ｆ  水
６  エイジング部
７  送りベルト
８  折り畳み収納部
８ａ、８ｂ  送りローラー
８ｃ  押えアーム
８ｄ  方向制御板
８ｅ  下部受け板
８ｆ  上部受け板
８ｇ  リニアガイドレール
８ｈ  リニアガイドブロック
９  給紙部（図示省略）
１０、１１  送りローラー
１２  搬送ベルト
１３  吸着ベルト
１４  バキュームユニット
１５  用紙検知センサー
２０  折りナイフ
２１  折りローラー
２２  搬送台
３０、３１、３２、３３  折りローラー
３４、３５  プレート
３６、３７  用紙ストッパー
４０  折り目付けギヤローラー
５０、５１  凸部凹部付きローラー
５２  折り込み機
５３  折り板
５４  鍔
５５  押圧部
５６  収納箱
５７  エアシリンダー
５８  ドラムカム
６０、６１  送りローラー
６２、６３  台板
６４、６５  折曲げローラー
６６、６７  駆動機構
Ｓ  スイッチ
【図１】
2017121975.tif 000003
【図２】
2017121975.tif 000004
【図３】
2017121975.tif 000005
【図４】
2017121975.tif 000006
【図５】
2017121975.tif 000007
【図６】
2017121975.tif 000008
【図７】
2017121975.tif 000009
【図８】
2017121975.tif 000010
【図９】
2017121975.tif 000011
【図１０】
2017121975.tif 000012